(57)【要約】【課題】パッチ貼着器を使用して紙葉類にパッチを貼着する際の位置合わせの手間を削減する。【解決手段】本発明のパッチ貼着器は、パッチ７を紙葉類６に向けて押圧する貼着器本体１と、貼着器本体１との間に紙葉類６を差し入れることのできる間隙を介在させた状態に取り付けられパッチ７の貼着時に紙葉類６を支持する基台４と、基台４に設けられ貼着器本体１側に向けて突出する突起５１を有した紙位置決め部５とを具備する。パッチ７の貼着時に紙葉類６を間隙に差し入れると、紙位置決め部５の弾性変形により突起５１が一旦退避し、その突起５１と紙葉類６の孔６１とが重なり合ったときに元位置に復帰して突起５１が紙葉類６の孔６１に係合して、紙葉類６を適切に位置決めする。  【選択図】図６
2008296477.tif 000002
【特許請求の範囲】
【請求項１】
紙葉類に穿たれた孔の周囲にパッチを貼着するために使用されるものであって、
パッチを収容し、そのパッチを紙葉類に向けて押圧する押圧機構を備える貼着器本体と、
前記貼着器本体との間に紙葉類を差し入れることのできる間隙を介在させた状態に取り付けられ、パッチの貼着時に紙葉類を支持する基台と、
前記基台に設けられ、前記貼着器本体側に向けて突出する突起を有し、紙葉類が前記間隙に抜き差しされる際に弾性変形を伴って突起を紙葉類の進退を妨げないよう退避させるとともに、その突起と紙葉類の孔とが重なり合った際に元位置に復帰して突起を紙葉類の孔に係合させる紙位置決め部と
を具備するパッチ貼着器。
【請求項２】
前記基台は、前記貼着器本体におけるパッチの出入口を前記間隙を介在させつつ略閉塞し得るものであり、その出入口に臨む内面がパッチの貼着時に紙葉類を支持する受圧面となっている請求項１記載のパッチ貼着器。
【請求項３】
前記基台は、前記出入口を前記間隙を介在させつつ略閉塞する閉塞位置と、前記出入口を略完全に開放する開放位置との間で変位可能に取り付けられている請求項２記載のパッチ貼着器。
【請求項４】
前記貼着器本体と前記基台との間に、基台を少なくとも前記閉塞位置に保定し得るクリックストップ機構が設けられている請求項３記載のパッチ貼着器。
【請求項５】
前記基台に、前記突起を基台内に略収容するための退避空間が形成されている請求項１、２、３または４記載のパッチ貼着器。
【請求項６】
前記貼着器本体または前記基台の何れか少なくとも一方に、前記間隙の幅を外方に向かって拡げるテーパ面が形成されている請求項１、２、３、４または５記載のパッチ貼着器。
【発明の詳細な説明】
【技術分野】
【０００１】
本発明は、紙葉類に穿たれた孔の周囲にパッチを貼着するために使用されるパッチ貼着器に関する。
【背景技術】
【０００２】
紙葉類に穿たれたパンチ孔の周縁部を補強するパッチ（通常、円環状のシール）を貼着する器具が既知である。例えば、下記特許文献に開示されているパッチ貼着器は、本体内に積層状態のパッチを収容し、そのパッチを紙葉類に向けて押し出し圧着するものである。
【特許文献１】特開２００６−１５９７９６号公報
【発明の開示】
【発明が解決しようとする課題】
【０００３】
パッチを貼着する作業時には、パッチ貼着器におけるパッチの押出口を紙葉類に穿たれたパンチ孔に対しできるだけ精確に位置合わせする必要がある。だが、パッチ貼着器を紙葉類に近接させた段階で、パンチ孔の周辺部分は覆い隠されてしまう。
【０００４】
上記例のパッチ貼着器では、パッチの押出口を形作るスリーブの外装に透明な樹脂部材を採用することによって、パンチ孔の周辺部分の視認性を確保している。とは言え、目を凝らしてパンチ孔の位置を確かめながら位置合わせを行わなければならない点は否めない。
【０００５】
以上に鑑みてなされた本発明は、パッチ貼着器を使用して紙葉類にパッチを貼着する際の位置合わせの手間を削減することを所期の目的としている。
【課題を解決するための手段】
【０００６】
本発明に係るパッチ貼着器は、パッチを収容し、そのパッチを紙葉類に向けて押圧する押圧機構を備える貼着器本体と、前記貼着器本体との間に紙葉類を差し入れることのできる間隙を介在させた状態に取り付けられ、パッチの貼着時に紙葉類を支持する基台と、前記基台に設けられ、前記貼着器本体側に向けて突出する突起を有し、紙葉類が前記間隙に抜き差しされる際に弾性変形を伴って突起を紙葉類の進退を妨げないよう退避させるとともに、その突起と紙葉類の孔とが重なり合った際に元位置に復帰して突起を紙葉類の孔に係合させる紙位置決め部とを具備する。このようなものであれば、目を凝らして確認せずとも、紙位置決め部の突起が紙葉類の孔に係合する感触を利用して容易に位置合わせを行い得る。
【０００７】
前記基台が、前記貼着器本体におけるパッチの出入口を前記間隙を介在させつつ略閉塞し得るものであり、その出入口に臨む内面がパッチの貼着時に紙葉類を支持する受圧面となっていれば、基台にパッチを保護する蓋の機能と紙葉類の位置合わせの機能とを兼務させることができる。紙葉類にパッチを圧着する圧着力も向上する。
【０００８】
前記基台が、前記出入口を前記間隙を介在させつつ略閉塞する閉塞位置と、前記出入口を略完全に開放する開放位置との間で変位可能に取り付けられていれば、出入口を介して貼着器本体にパッチを補充装填することが簡単になる。
【０００９】
前記貼着器本体と前記基台との間に、基台を少なくとも前記閉塞位置に保定し得るクリックストップ機構が設けられていれば、両者の間隙に紙葉類を抜き差しする際に基台が不用意に移動せず、使い勝手が向上する。
【００１０】
パッチ貼着器は、その基台を机上に載置した状態で使用されることが多い。貼着器本体と基台との間隙に差し入れられた紙葉類に押されて退避しようとする突起が机上面と干渉しないようにするために、前記基台には、前記突起を基台内に略収容するための退避空間を形成しておくことが好ましい。
【００１１】
前記貼着器本体または前記基台の何れか少なくとも一方に、前記間隙の幅を外方に向かって拡げるテーパ面が形成されていれば、貼着器本体と基台との間隙に紙葉類を円滑に導き入れることができる。
【発明の効果】
【００１２】
本発明によれば、パッチ貼着器を使用して紙葉類にパッチを貼着する際の位置合わせの手間を削減できる。
【発明を実施するための最良の形態】
【００１３】
本発明の実施の形態を、図面を参照して説明する。図１ないし図８に示すように、本実施形態のパッチ貼着器は、パッチ７を紙葉類６に向けて押圧し貼着する押圧機構を備える貼着器本体１と、貼着器本体１との間に紙葉類６を差し入れることのできる間隙を介在させた状態に取り付けられる基台４と、基台４に設けられ紙葉類６を貼着器本体１に対し適切に位置決めする紙位置決め部５とを具備する。
【００１４】
貼着器本体１は、図２、図３等に示すように、複数枚が相互に接着されて積層状態にあるパッチ７を収容するスリーブ２と、スリーブ２の軸心方向即ち上下方向に沿って進退する駆動体３とを備えており、駆動体３の下端の押圧面３２３によってスリーブ２内に収容しているパッチ７を下方に押し出す押圧機構を構成している。
【００１５】
詳述すると、駆動体３は、スリーブ２の外周側にある外ケース３１と、スリーブ２の内周側にある入れ子３２と、入れ子３２に保持させた軸体３３とを要素とする。
【００１６】
外ケース３１は、下方に開放した中空のもので、スリーブ２を上方からくわえ込む。外ケース３１の上端壁の下向面とスリーブ２の上端面との間には、入れ子３２を巻くようにしてコイルスプリング３２４を配設している。外ケース３１の上端壁における軸心の周辺部位からは、筒状体３１１が下方に突き出している。
【００１７】
入れ子３２は、上方に開放した中空のもので、スリーブ２内で摺動する。上方からは、外ケース３１の上端壁から伸長した筒状体３１１が貫入している。入れ子３２の周壁には透窓３２１を穿っており、この透窓３２１に筒状体３１１の周壁から突き出した爪が３１２係合する。これら透窓３２１と爪３１２との係合により、入れ子３２は外ケース３１に組み付いており、外ケース３１と一体的に上下動する。入れ子３２の下端壁における軸心部位には、軸体３３を挿通する挿通孔３２２が存在し、その下端側は段付孔となっている。入れ子３２の下端壁の下向面は、パッチ７を押圧する押圧面３２３となる。入れ子３２の内部には、軸体３３を保持するための保持部材３２５を取り付けている。保持部材３２５の内周には、断面視上下方向に沿って鋸歯状をなす保持部３２６を突設してある。
【００１８】
軸体３３は、円環状のパッチ７の孔７１に挿通可能な外径寸法を有し、かつその下端にパッチ７の孔７１の内径寸法よりも拡開するテーパ状の拡開部３３２を設けたものである。軸体３３の下端には、後述する紙位置決め部５の突起５１の外形に略対応した内形の凹陥３３１が存在する。軸体３３の外周には、断面視上下方向に沿って鋸歯状をなす被保持部３３３を形成してある。軸体３３を入れ子３２の挿通孔３２２に挿通した状態で、被保持部３３３が保持部材３２５の保持部３２６に係合して保持される。また、軸体３３の上部は、外ケース３１の筒状体３１１内に入り込む。そして、積層状態のパッチ７を、その孔７１に軸体３３を挿通しつつ押圧面３２３と拡開部３３２とで挟持する。押圧面３２３から拡開部３３２までの距離は、積層しているパッチ７の嵩即ちパッチ７の残存量に対応する。
【００１９】
スリーブ２は、概ね円筒形状をなし、パッチ７を収容する内部空間及びパッチ７の出入口を形作るものである。パッチ７の出入口の開口縁即ちスリーブ２の下端縁の一部には、正面視または側面視部分楕円弧状に凹むように切り欠いた紙引込部２１が存在する。図示例では、軸心を挟んで対向する二箇所に紙引込部２１を形成している。スリーブ２の下端近傍には、基台４を開閉可能に支持する支持部２２を外側方に持ち出して設けている。支持部２２は、平面視略平行に対向する一対の枢支腕２２１と、枢支腕２２１の間にあって断面視略アングル状をなす係止片２２３とを有する。
【００２０】
基台４は、スリーブ２の外径寸法よりも幅広に拡張した扁平な部材である。基台４は、貼着器本体１におけるパッチ７の出入口を開閉する役割と、パッチ７の貼着時に紙葉類６を位置決めしつつこれを支持する役割とを兼ねる。図４、図５等に示すように、基台４は、基端側に平面視略平行に対向する一対の枢支部４１を有しており、この枢支部４１をスリーブ２の枢支腕２２１に軸支させる。図示例では、枢支部４１の外向面に開口した軸穴４１１を形成する一方、枢支腕２２１の内向面から回動軸２２２を突出させ、軸穴４１１に回動軸２２２を挿入してヒンジとしている。これにより、基台４は回動軸２２２を中心として、パッチ７の出入口を略閉塞する閉塞位置とパッチ７の出入口を略開放する開放位置との間で回動可能となる。図６、図７等に示すに示す閉塞位置では、パッチ７の出入口に臨む基台４の内面即ち上面と、パッチ７の出入口の開口端面即ちスリーブ２の下端面との間に、基台４の先端側から基台４の上面に沿うように紙葉類６を差し入れることのできる間隙が介在する。閉塞位置にある基台４の上面は入れ子３２の下端壁の押圧面３２３に対向し、パッチ７の貼着時に紙葉類６を支持する受圧面４２となる。基台４の先端側はテーパ形状４３に成形してあって、先端に向かうにつれて徐々にスリーブ２の下端面から離反して間隙の幅を拡げる。翻って、図８に示す開放位置では、基台４の略全体がスリーブ２の外周よりも外側方に変位し、パッチ７の出入口の開口縁全域を下方に露出させる。
【００２１】
本実施形態では、基台４を閉塞位置、開放位置の各々に保定し得るクリックストップ機構を設けている。具体的には、回動軸２２２の軸線方向から見て、スリーブ２の係止片２２３の先端部が基台４の枢支部４１の回動軸２２２回りの周面に近接しており、係止片２２３の先端部と枢支部４１の周面とのうち一方に凸条２２４を形成し、他方に凸条２２４を係合せしめる凹欠４１２、４１４を形成して、これら凸条２２４と凹欠４１２、４１４との係合を通じて基台４を各位置に保定するクリックストップ機構を構成している。図示例では、係止片２２３の先端部に断面視略Λ字型の凸条２２４を、枢支部４１の周面に断面視略Ｖ字型の凹欠４１２、４１４を形成しているが、逆に係止片２２３の先端部に凹欠を形成し枢支部４１の周面に凸条を形成しても構わない。凹欠４１２、４１４の隣接箇所には、凸条２２４が係合している凹欠４１２、４１４から安易に脱離しないようにするための山４１３、４１５を突設してある。枢支部４１には、閉塞位置、開放位置にそれぞれ対応した凹欠４１２、４１４及び山４１３、４１５が存在し、基台４が閉塞位置をとるときに係止片２２３の凸条２２４が第一の凹欠４１２に係合し、開放位置をとるときに凸条２２４が第二の凹欠４１４に係合する。
【００２２】
その上で、基台４に、紙葉類６を位置決めするための紙位置決め部５を設けている。紙位置決め部５は、平面視基台４の基端近傍から先端側に向かって延伸する舌片状をなす。紙位置決め部５の根本を除き、紙位置決め部５の周縁は上下に貫通したスリット４４を介して基台４から隔てられている。紙位置決め部５の先は基台４の中央に達しており、そこから貼着器本体１側即ち上方に向けて略切頭円錐形状の突起５１を突出させている。突起５１の外径寸法は、パッチ７の孔７１に進入可能な大きさである。紙位置決め部５の上下方向の厚みは基台４自体の厚みの半分程度と薄く、また突起５１の突出高さも基台４自体の厚み以下である。外力が作用していない状態で、紙位置決め部５は基台４の受圧面４２と略面一、突起５１は受圧面４２よりも貼着器本体１側即ち上方に飛び出し、紙位置決め部５の下方には突起５１を収容可能な退避空間４５を生ずる。基台４が閉塞位置にあるとき、突起５１は軸体３３と略同心軸上にある。
【００２３】
本実施形態のパッチ貼着器を使用して紙葉類６にパッチ７を貼着するにあたっては、基台４を閉塞位置に位置づけて机上に載置し、基台４の先端側から紙葉類６をパッチ貼着器と基台４との間隙に差し入れる。その過程で、紙葉類６の縁が突起５１の円錐面に衝突し、突起５１を下方に押し下げようとする。すると、図６に示すように、紙位置決め部５が弾性変形して突起５１が退避空間４５内に退避し、基台４内に略収容される。図６に示している状態で、突起５１の上端は略基台４の受圧面４２以下に退き、下端は基台４の下面から飛び出さない。よって、突起５１が紙葉類６の進退の妨げとならず、机上面にも干渉しない。
【００２４】
紙葉類６に穿たれた孔６１が平面視突起５１に重なる位置まで紙葉類６を差し入れると、図７に示すように、弾性変形していた紙位置決め部５が元位置に復帰しつつ、突起５１が紙葉類６の孔６１に進入して係合する。これにより、紙葉類６がパッチ貼着器に対し適切に位置決めされる。
【００２５】
それから、駆動体３をスプリング３２４の弾性付勢力に抗して下方に押し下げる操作を行い、貼着器本体１内に収容しているパッチ７を出入口から押し出して紙葉類６に圧着する。軸体３３の下端面が紙葉類６の表面に接触した状態からさらに駆動体３を押し下げると、入れ子３２の押圧面３２３が積層しているパッチ７を押圧し、最下層の一枚を拡開部３３２を経由して下方に押し出す。押し出された最下層のパッチ７の孔７１は拡開部３３２によって押し広げられ、孔７１の周縁が若干ながら上方に起立する形となって、その直上にある（一枚上の）パッチ７との間に剥離を誘発する。最下層のパッチ７を紙葉類６に接着した後、駆動体３に加えている操作力を解消すると、スプリング３２４の弾性付勢力によって駆動体３が上方に浮上する。最下層のパッチ７の剥離が不十分な場合、軸体３３を介してこのパッチ７ごと紙葉類６が持ち上げられるが、パッチ７の出入口に設けてある紙引込部２１に沿って紙葉類６が湾曲することで、紙葉類６に接着しているこのパッチ７も湾曲して剥離が促進される。結果的に、積層しているパッチ７から最下層の一枚のパッチ７のみが剥離して紙葉類６に貼着され、残りのパッチ７は持ち上げられてスリーブ２の奥に引っ込む。また、最下層のパッチ７の剥離及び貼着とともに、保持部材３２５に保持されている軸体３３が入れ子３２に対し相対的にパッチ７一枚分上方に没入する。因みに、パッチ７を使い切ったら、基台４を開放位置に移動させてパッチ７の出入口から軸体３３を抜き出し、新しいパッチ７とともに軸体３３を再装填すればよい。
【００２６】
パッチ７を貼着した紙葉類６を間隙から抜き出す過程では、やはり図６に示しているように突起５１が一旦基台４内に退避することは言うまでもない。
【００２７】
本実施形態のパッチ貼着器は、パッチ７を収容し、そのパッチ７を紙葉類６に向けて押圧する押圧機構を備える貼着器本体１と、前記貼着器本体１との間に紙葉類６を差し入れることのできる間隙を介在させた状態に取り付けられ、パッチ７の貼着時に紙葉類６を支持する基台４と、前記基台４に設けられ、前記貼着器本体１側に向けて突出する突起５１を有し、紙葉類６が前記間隙に抜き差しされる際に弾性変形を伴って突起５１を紙葉類６の進退を妨げないよう退避させるとともに、その突起５１と紙葉類６の孔６１とが重なり合った際に元位置に復帰して突起５１を紙葉類６の孔６１に係合させる紙位置決め部５とを具備しており、目を凝らして確認せずとも、紙位置決め部５の突起５１が紙葉類６の孔６１に係合する感触を利用して容易に位置合わせを行い得る。
【００２８】
前記基台４が、前記貼着器本体１におけるパッチ７の出入口を前記間隙を介在させつつ略閉塞し得るものであり、その出入口に臨む内面がパッチ７の貼着時に紙葉類６を支持する受圧面４２となっているため、基台４にパッチ７を保護する蓋の機能と紙葉類６の位置合わせの機能とを兼務させることができる。また、紙位置決め部５が弾性変形可能な構成をとっているので、紙葉類６にパッチ７を圧着する際に、軸体３３から作用を受けた突起５１が下方へ退避するので拡開部３３２が受圧面４２より下方に位置することとなり圧着力も向上する。
【００２９】
前記基台４が、前記出入口を前記間隙を介在させつつ略閉塞する閉塞位置と、前記出入口を略完全に開放する開放位置との間で変位可能に取り付けられているため、出入口を介して貼着器本体１にパッチ７を補充装填することが簡単になる。
【００３０】
前記貼着器本体１と前記基台４との間に、基台４を少なくとも前記閉塞位置に保定し得るクリックストップ機構が設けられているため、両者の間隙に紙葉類６を抜き差しする際に基台４が不用意に移動せず、使い勝手が向上する。
【００３１】
前記基台４には、前記突起５１を基台４内に略収容するための退避空間４５が形成されているため、基台４を机上に載置した状態で使用した場合に紙位置決め部５の突起５１が机上面と干渉することがない。
【００３２】
前記基台４に、前記間隙の幅を外方に向かって拡げるテーパ面４３が形成されているため、貼着器本体１と基台４との間隙に紙葉類６を円滑に導き入れることができる。
【００３３】
なお、本発明は以上に詳述した実施形態に限られるものではない。例えば、図９に示すように、貼着器本体１と基台４との間隙に紙葉類６を円滑に導き入れるためのテーパ面２３を、貼着器本体１（のスリーブ２）に形成することができる。
【００３４】
その他各部の具体的構成は、本発明の趣旨を逸脱しない範囲で種々変形が可能である。
【図面の簡単な説明】
【００３５】
【図１】本実施形態のパッチ貼着器の正面図。
【図２】同正断面図。
【図３】同側断面図。
【図４】同平面図。
【図５】基台及び紙位置決め部の平面図。
【図６】貼着器本体、基台及び紙位置決め部を示す要部正断面図。
【図７】同要部正断面図。
【図８】同要部正断面図。
【図９】本発明の変形例の一を示す正面図。
【符号の説明】
【００３６】
１…貼着器本体
４…基台
４２…受圧面
４５…退避空間
５…位置決め部
５１…突起
６…紙葉類
６１…紙葉類に穿たれた孔
７…パッチ
【図１】
2008296477.tif 000003
【図２】
2008296477.tif 000004
【図３】
2008296477.tif 000005
【図４】
2008296477.tif 000006
【図５】
2008296477.tif 000007
【図６】
2008296477.tif 000008
【図７】
2008296477.tif 000009
【図８】
2008296477.tif 000010
【図９】
2008296477.tif 000011